(57)【要約】    【課題】  絡み及びもつれを生じることなく、最下層まで円滑に溶接ワイヤを巻き解くことができる溶接ワイヤ収納容器及び容器入り溶接ワイヤを提供する。    【解決手段】  円筒状の外筒１の下端部をかしめて底板５が固定されており、この底板５上に内筒６が固定されている。そして、外筒１と内筒６との間の底板上に溶接ワイヤコイル１０が収納される。そして、このコイル上に押さえ治具２が載置される。この押さえ治具２は、溶接ワイヤ上のリング上の平板部３と、この平板部３の全周においてその外縁から外方に向けて立ち上がる堰部４とがオレフィン系樹脂により一体成形された形状を有する。そして、堰部４の第１部４ａは下方の部分がかしめ部１ａ内に嵌入する大きさを有する。また、コイル１０の外周は紐７及び紐拘束具９により、押さえ治具２からはみ出ないように押さえられている。【選択図】    図１
2007029971.tif 000002
【特許請求の範囲】
【請求項１】
溶接ワイヤのコイルを収納するための溶接ワイヤ収納容器において、容器側壁を形成する外筒と、前記外筒をかしめることにより前記外筒の内部に保持され容器底部を形成する底板と、この底板上に収納された溶接ワイヤコイル上に載置される押さえ治具と、前記外筒と前記押さえ治具との間を前記外筒の高さ方向に延びるように配置され前記外筒の上端及び下端に固定された複数本の紐と、前記押さえ治具の上に配置され前記紐がその内側を通る円環状の紐拘束具とを有し、前記押さえ治具は、収納された溶接ワイヤ上のリング状の平板部と、この平板部の全周においてその外縁から上方に立ち上がる堰部とが一体成形された形状を有し、前記平板部及び前記堰部の下方部分は前記外筒のかしめ部の内径より小さく、前記堰部の上方部分は前記かしめ部の内径より大きいことを特徴とする溶接ワイヤ収納容器。
【請求項２】
前記堰部は上方が下方よりも外側に広がるように傾斜した第１部と、この第１部から更に外側に水平に又は前記第１部よりも小さい角度で広がる第２部とを有することを特徴とする請求項１に記載の溶接ワイヤ収納容器。
【請求項３】
前記外筒と同軸的に配置された内筒を有することを特徴とする請求項１又は２に記載の溶接ワイヤ収納容器。
【請求項４】
前記押さえ治具は、オレフィン系樹脂により一体成形されたものであることを特徴とする請求項１乃至３のいずれか１項に記載の溶接ワイヤ収納容器。
【請求項５】
前記押さえ治具は、板厚が１．５乃至６ｍｍであり、前記平坦部外径は前記かしめ部の内径よりも５乃至３０ｍｍ小さく、前記平坦部内径は前記内筒の外径よりも２０乃至４０ｍｍ大きく、前記堰部の上方部分の外径が前記外筒の内径より８乃至位２０ｍｍ小さく、前記堰部の高さは１５乃至３０ｍｍであることを特徴とする請求項１乃至４のいずれか１項に記載の溶接ワイヤ収納容器。
【請求項６】
前記押さえ治具の平板部には、下方の溶接ワイヤを視認するための１又は複数個の孔が前記押さえ治具の中心を中心とする等配の位置に設けられており、前記孔は幅が２乃至２０ｍｍ、長さが１０乃至５０ｍｍであることを特徴とする請求項１乃至５のいずれか１項に記載の溶接ワイヤ収納容器。
【請求項７】
請求項１乃至６のいずれか１項に記載の溶接ワイヤ収納容器内に溶接ワイヤのコイルが収納されたものであることを特徴とする容器入り溶接ワイヤ。
【請求項８】
前記外筒の上部に設けられ前記溶接ワイヤコイルの巻き解き終端部を係止する係止部を有し、係止された溶接ワイヤコイルの巻き解き終端部と次順の溶接ワイヤ収納容器に収納されている溶接ワイヤコイルの巻き解き始端部とが繋ぎ合わされ、複数個の溶接ワイヤコイルが連続して巻き解かれることを特徴とする請求項７に記載の容器入り溶接ワイヤ。
【発明の詳細な説明】
【技術分野】
【０００１】
本発明は、溶接ワイヤのコイルを収納する溶接ワイヤ収納容器及び容器入り溶接ワイヤに関し、特に、ソリッドワイヤ等の剛性が高い溶接ワイヤにも適用可能な溶接ワイヤ収納容器及び容器入り溶接ワイヤに関する。
【背景技術】
【０００２】
ソリッドワイヤ及びフラックス入りワイヤ等の溶接ワイヤを収納する容器としては、一般に、有底筒状のペイル容器が使用されている（例えば、特許文献１及び２参照）。図５（ａ）は従来の容器入り溶接ワイヤを模式的に示す斜視図であり、図５（ｂ）はその断面図である。また、図６は従来の溶接ワイヤ収納容器の押さえ板を示す斜視図である。図５（ａ）及び（ｂ）に示すように、従来の容器入り溶接ワイヤは、外筒１０１の下部をかしめることにより底板１０５が保持されて容器が構成されており、この容器内に、溶接ワイヤ１００ａが円軌跡に沿って中心軸を移動変位しながら落とし込まれて収納されている。なお、従来の溶接ワイヤ収納容器においては、外筒１０１よりも小径の内筒１０６が外筒１０１と同軸的に設けられていることもある。
【０００３】
通常、容器入り溶接ワイヤは、容器に収納された状態で巻き解かれる。このため、巻き解きの際に、溶接ワイヤ１００ａが絡んだり、もつれたりすることがある。そこで、従来の容器入り溶接ワイヤにおいては、溶接ワイヤコイル１００上に、図６に示す環状の押さえ板１１２を載置するようにしたものがある。この押さえ板１１２には、外筒１０１と押さえ板１１２との隙間から溶接ワイヤ１００ａが飛び出さないように、押さえ板１１２の外周部の外側に突出する断面Ｌ字形の複数個の羽根体１１２ａが等間隔で設けられている。この羽根体１１２ａは発泡ウレタンスポンジからなり、接着剤により押さえ板１１２の表面に接着されている。なお、押さえ板１１２は上下方向に移動可能であるため、溶接ワイヤ１００ａが巻き解かれることによって、溶接ワイヤコイル１００の高さが低下した場合には、押さえ板１１２も降下し、押さえ板１１２は常に溶接ワイヤコイル１００の上に載置された状態にある。また、押さえ板１１２の羽根体１１２ａ間の位置には、使用中の溶接ワイヤの残量を目視にて確認できるように、直径が３０乃至６０ｍｍの孔からなる窓１１２ｂが設けられている。
【０００４】
一方、巻き解き時の絡み防止のため、帯板状の縦壁部に複数の弾性内向片が設けられた押さえ板も提案されている（特許文献３参照）。この押さえ板は、円環状に丸められ、縦壁部が外筒の内面に、弾性内向片が溶接ワイヤ上面に夫々接するようにして溶接ワイヤコイル上に載置される。そして、溶接ワイヤは押さえ板の弾性内向片の縁部に接触しながら上方に引き出される。
【０００５】
しかしながら、従来の溶接ワイヤ収納用容器においては、図５（ｂ）に示すように、外筒１０１の下端部をかしめることにより、底板１０５が固定されているため、下部に他の部分より内径が小さいかしめ部が形成されている。このかしめ部は、底板１０５を外筒１０１に挿入する際の位置決めを容易にし、底板１０５を固定するためのカール加工時にガイドを当てて補助するためのものであるが、溶接ワイヤコイル１００を巻き解く際に、押さえ板１０２がかしめ部で保持されてしまい、かしめ部より下にある溶接ワイヤコイル１００を押さえることができず、かしめ部と底板１０５との間にあるワイヤが跳ね上がり、絡み及びばらけが発生するという問題点がある。
【０００６】
そこで、底板１０５の上に板等を積層して、容器の底を嵩上げする方法が検討されている。図７は底が嵩上げされた溶接ワイヤ収納容器を示す断面図である。この溶接ワイヤ収納容器は、外径がかしめ部に挿入可能な大きさで、厚さがかしめ部の高さと同等である円盤１０９が、底板１０５上に接着剤等により接合されている。これにより、容器の底が嵩上げされ、最下層の溶接ワイヤの上面がかしめ部よりも上になるため、押さえ板１０２により最下層の溶接ワイヤまで押さえることができる。なお、図７に示す溶接ワイヤ収納用容器においては、押さえ板１０２の上に、リング状の拘束具１０３が載置され、外筒１０１と押さえ板１０２の外縁との間に、外筒の長手方向に延びる紐１０８が設けられている。この紐１０８は拘束具１０３の内側を通っている。
【０００７】
また、内径が内筒の外径よりも大きく外径が外筒の最小内径よりも小さい環状平板に、複数の短冊状の羽根材をその内側及び外側に突出するように取り付けた押さえ板を備えた溶接ワイヤ収納容器も検討されている（特許文献５参照。）。図８はこの溶接ワイヤ収納容器の押さえ板を示す平面図である。この押さえ板１２０は、環状平板１２１により溶接ワイヤコイルを下方に押圧し、羽根材１２２により外筒側及び内筒側の溶接ワイヤが飛び出すことを防止するものである。この押さえ板１２０は、外径がかしめ部分の内径よりも小さくかしめ部にも入り込むことができるため、最下層の溶接ワイヤまで押さえることができる。
【０００８】
【特許文献１】特公昭５９−８４７４号公報  （第１−２頁、第１−４図）
【特許文献２】特公平３−３４４２４号公報  （第２−３、第１図）
【特許文献３】特開平１０−２１８４９３号公報  （第３−４、第１−３図）
【特許文献４】特公平１−１５３５３号公報  （第２−３頁、第３図）
【特許文献５】特開平２−１４７５６６号公報  （第３−５頁、第２図）
【発明の開示】
【発明が解決しようとする課題】
【０００９】
しかしながら、前述の従来の技術には以下に示す問題点がある。先ず、従来の図６（ｂ）に示す押さえ治具は、ＡＢＳ、ＰＰ、ＰＳ等のオレフィン系樹脂の単一素材のリング状成形板からなる押さえ板１１２と、発泡ウレタンスポンジからなる複数個の羽根体１１２ａとから構成されているため、以下に示す問題点がある。即ち、発泡ウレタンスポンジからなる羽根体１１２ａが経時変化によりペイル容器外筒１０１の内面に当接する応力が弱くなり、引き出される直前の溶接ワイヤが羽根体１１２ａを乗り越えてしまうと、溶接ワイヤが羽根体を巻き込んで縺れ、容易には元の状態、即ち押さえ板１１２の下方には戻らず、ワイヤの送給停止が生じてしまう。また、押さえ板１１２と羽根体１１２ａとの間の接合部の近傍から切れ目が発生しやすく、この切れ目に溶接ワイヤが入り込むと、同様にワイヤ送給停止という事態になる。
【００１０】
また、図７に示す従来の底が嵩上げされた溶接ワイヤ収納容器は、押さえ板１０２により溶接ワイヤコイル１０の最下層まで押さえることができるようにはなるが、円盤１０９と外筒１０１の内面との間に隙間が生じ、この隙間にワイヤが挟まって送給が停止するという問題点がある。複数の容器入り溶接ワイヤを連続して使用する場合、容器内に収納されている全ての溶接ワイヤが円滑に引き出されなければ、次の容器に移行することができないので、このように溶接ワイヤコイルの残量が少なくなった底部付近でトラブルが発生すると、複数の容器入り溶接ワイヤを連続して使用することができない。また、円盤１０９の厚さをより厚くして、容器の底をかしめ部よりも上方に設定することにより円盤１０９と外筒１の内面との隙間をなくすことは可能であるが、底の嵩上げ量が多くなると、容器に収納できるワイヤの量が少なくなり使用時の作業性が低下すると共に、製造コストが増加するため好ましくない。
【００１１】
更に、図８に示す押さえ板１２０を備えた従来の溶接ワイヤ収納容器は、溶接ワイヤコイルの押さえ板１２０と外筒との間の部分が羽根材１２２により数カ所押さえられているだけであるため、外筒側の溶接ワイヤが飛び出す虞がある。また、この押さえ板１２０は、内側に突出した羽根材１２２が内筒の外面に接触し、外側に突出した羽根材１２２が外筒の内面に接触しながら下方に移動するため、斜めに傾きやすく、ワイヤの絡み及びもつれが発生しやすいという問題点がある。
【００１２】
本発明はかかる問題点に鑑みてなされたものであって、絡み及びもつれを生じることなく、最下層まで円滑に溶接ワイヤを巻き解くことができる溶接ワイヤ収納容器及び容器入り溶接ワイヤを提供することを目的とする。
【課題を解決するための手段】
【００１３】
本発明に係る溶接ワイヤ収納容器は、溶接ワイヤのコイルを収納するための溶接ワイヤ収納容器において、容器側壁を形成する外筒と、前記外筒をかしめることにより前記外筒の内部に保持され容器底部を形成する底板と、この底板上に収納された溶接ワイヤコイル上に載置される押さえ治具と、前記外筒と前記押さえ治具との間を前記外筒の高さ方向に延びるように配置され前記外筒の上端及び下端に固定された複数本の紐と、前記押さえ治具の上に配置され前記紐がその内側を通る円環状の紐拘束具とを有し、前記押さえ治具は、収納された溶接ワイヤ上のリング状の平板部と、この平板部の全周においてその外縁から上方に立ち上がる堰部とが一体成形された形状を有し、前記平板部及び前記堰部の下方部分は前記外筒のかしめ部の内径より小さく、前記堰部の上方部分は前記かしめ部の内径より大きいことを特徴とする。
【００１４】
本発明においては、溶接ワイヤコイルの上に載置される押さえ治具が、平板部から外方に立ち上がる堰部を有し、外筒の内面で外筒の高さ方向に伸びる複数本の紐を有し、この紐が押さえ治具の上に配置された円環状の紐拘束具の内側を通るように設けられているので、溶接ワイヤのコイルを巻き解く際に、ワイヤがこの押さえ治具と外筒内面との間からはみ出て、コイルの巻き状態が乱れてしまうことを防止できる。また、押さえ治具は、その平板部及び堰部の下方部分が前記外筒のかしめ部の内径よりも小さいので、この平板部及び堰部下方部分は、かしめ部内に嵌入することが可能である。従って、溶接ワイヤコイルの残量が少なくなっても、押さえ治具は溶接ワイヤコイルの上面を確実に押さえることができる。これにより、従来の溶接ワイヤ収納容器のように底の嵩上げ等を行わなくても、最下層の溶接ワイヤまで絡み及びもつれを生じることなく、円滑に巻き解くことができる。
【００１５】
本発明に係る溶接ワイヤ収容容器は、前記堰部は上方が下方よりも外側に広がるように傾斜した第１部と、この第１部から更に外側に水平に又は前記第１部よりも小さい角度で広がる第２部とを有することが好ましい。
【００１６】
また、本発明においては、前記外筒と同軸的に配置された内筒を有するように構成することもできる。
【００１７】
前記押さえ治具は、ＡＢＳ（Acrylonitrile-Butadiene-Styrene；アクリロニトリル−ブタジエン−スチレン）樹脂、ＰＰ（Polypropylene；ポリプロピレン）樹脂、ＰＳ（Poly- Styrene；ポリスチレン）樹脂等のオレフィン系樹脂により一体成形されたものとすることが好ましい。
【００１８】
更に、前記押さえ治具は、板厚が１．５乃至６ｍｍであり、前記平坦部外径は前記かしめ部の内径よりも５乃至３０ｍｍ小さく、前記平坦部内径は前記内筒の外径よりも２０乃至４０ｍｍ大きく、前記堰部の上方部分の外径が前記外筒の内径より８乃至位２０ｍｍ小さく、前記堰部の高さは１５乃至３０ｍｍであることが好ましい。
【００１９】
前記押さえ治具の平板部には、下方の溶接ワイヤを視認するための１又は複数個の孔が前記押さえ治具の中心を中心とする等配の位置に設けられており、前記孔は幅が２乃至２０ｍｍ、長さが１０乃至５０ｍｍであることが好ましい。
【００２０】
本発明に係る容器入り溶接ワイヤは、前記溶接ワイヤ収納容器内に溶接ワイヤのコイルが収納されたものであることを特徴とする。この容器入り溶接ワイヤは、前記外筒の上部に設けられ前記溶接ワイヤコイルの巻き解き終端部を係止する係止部を有し、係止された溶接ワイヤコイルの巻き解き終端部と次順の溶接ワイヤ収納容器に収納されている溶接ワイヤコイルの巻き解き始端部とが繋ぎ合わされ、複数個の溶接ワイヤコイルが連続して巻き解かれるように構成することができる。
【発明の効果】
【００２１】
本発明によれば、溶接ワイヤコイルから溶接ワイヤが巻解かれる際に、押さえ治具により、溶接ワイヤが暴れることが防止され、紐拘束具の内側を通るように拘束された紐により、溶接ワイヤが押さえ治具と外筒との間の隙間から上方に飛び出てくることが防止される。また、押さえ治具はその平板部及び堰部の下方部分が前記外筒のかしめ部の内径よりも小さいので、溶接ワイヤコイルの残量が少なくなった場合に、堰部の平板部及び堰部下方部分は、かしめ部内に嵌入して溶接ワイヤコイルの上面を確実に押さえることができる。これにより、従来の溶接ワイヤ収納容器のように底の嵩上げ等を行わなくても、最下層の溶接ワイヤまで絡み及びもつれを生じることなく、円滑に巻き解くことができる。
【００２２】
また、請求項４のように、この堰部及び平板部が一体成形された押さえ治具をオレフィン系樹脂により一体成形されたものとすることにより、従来のように、発泡ウレタンスポンジからなる羽根体を設けた場合よりも更に一層経時変化による外筒内面への押圧力の劣化を防止することができる。
【発明を実施するための最良の形態】
【００２３】
以下、本発明の実施の形態に係る溶接ワイヤ容器について、添付の図面を参照して具体的に説明する。図１は本実施形態の溶接ワイヤ収納容器を示す断面図、図２は押さえ治具の断面図、図３は溶接ワイヤ収納容器の全体を示す斜視図、図４は押さえ治具の斜視図である。本実施形態の溶接ワイヤ収納容器は、円筒状の外筒１の下端部がかしめられて、円板状の底板５が固定されており、これにより、外筒１の下端部に底板５が保持された容器が構成されている。よって、外筒１の内面はその下端部のかしめ部１ａにおいて、その内径が小さくなっている。底板５と外筒１は、外筒１のかしめ部１ａと底板５の底面を包み込む金属補強帯（図示せず）により、相互に補強的に固定することもできる。一般的に、溶接ワイヤ収納容器には、２００乃至５００ｋｇの溶接ワイヤが収納されるため、運搬時及び吊り下げ移送時に安全強固な構造が要求される。このため、軽量化及び電気絶縁性の観点から、本実施形態の溶接ワイヤ収納容器における外筒１は、厚さが厚い紙等で形成されている。
【００２４】
本実施形態の溶接ワイヤ収納容器においては、外筒１の内部に外筒１よりも直径が小さい円筒状の内筒６が外筒１と同軸的に配置されており、この内筒６の下端部は底板５上に固定されている。そして、この底板５上には、その外筒１と内筒６との間に、溶接ワイヤコイル１０が載置されるようになっている。この溶接ワイヤコイル１０は、溶接ワイヤ１０ａを内筒６と外筒１との間の空間に、ループ状に１回巻あたり略３６０°の捻りを付与して、落とし込むようにして充填することにより、収納される。
【００２５】
本実施形態の溶接ワイヤ収納容器においては、溶接ワイヤコイル１０の上に、押さえ治具２が載置されている。図２及び図４に示すように、押さえ治具２は、リング状の平板部３と、この平板部３の外縁の全周から上方に立ち上がる筒状の堰部４とから構成されている。この平板部３は溶接ワイヤコイル１０が収納された場合には、その上に載置される。
【００２６】
堰部４は、その下方部分（従って平板部３も）が外筒１のかしめ部１ａの内径より小さく、上方部分はかしめ部１ａの内径より大きいものである。これにより、堰部４の上端部は外筒１の内面の近傍でこの外筒１の内面に沿って昇降できる大きさを有し、平板部３及び堰部４の下方部分はかしめ部１ａ内に嵌入することができる大きさを有する。
【００２７】
具体的には、堰部４は上方が下方よりも外側に広がるように傾斜した第１部４ａと、この第１部４ａから更に外側に水平に又は前記第１部よりも小さい角度で広がる第２部４ｂとを有するものにすることができる。図２に示す例は、第２部４ｂが水平に外側に広がっている。この第２部４ｂは水平ではなく、第１部４ａと同様に断面が傾斜していてもよいが、その傾斜角度は、第１部４ａよりも小さくなる。
【００２８】
なお、堰部４はその下方部分が外筒１のかしめ部１ａの内径よりも小さいものであるから、図２に示す例に限らず、堰部４はその第１部４ａが平板部３に垂直に起立するものであってもよい。
【００２９】
そして、平板部３には、例えば、２個のスリット状の孔８がその長手方向をリング状平板部３の半径方向に向けて等間隔の位置に形成されている。孔８は、例えば、幅が２乃至２０ｍｍ、長さが１０乃至５０ｍｍの大きさを有するスリット状又は長方形状をなし、この孔８により、押さえ治具２の下方の溶接ワイヤコイル１０の残量を視認することができるようになっている。なお、図４において、孔８はスリット状又は長方形状をなしているが、孔８の形状はこれに限定されるものではない。また、図４に示す実施形態では、孔８は２個形成されているが、本発明は、これに限らず、１又は複数個設けることができる。孔８は５個以上設けることもできるが、孔８が４個以下でも下方の溶接ワイヤを十分に確認することができ、孔８の数が増えると、押さえ治具２の平板部３の強度が低下すると共に、この孔８を介して下方の溶接ワイヤコイル１０が錆びやすくなる。いずれにしても、孔８の配置は、等間隔になるようにすることが好ましい。
【００３０】
次に、上述の如く構成された溶接ワイヤ収納容器の押さえ治具２の好ましい材質及び好ましい形状寸法について説明する。押さえ治具２は平板部３及び堰部４がオレフィン系樹脂等により一体成形されたものである。このオレフィン系樹脂としては、ＡＢＳ（Acrylonitrile-Butadiene-Styrene；アクリロニトリル−ブタジエン−スチレン）樹脂、ＰＰ（Polypropylene；ポリプロピレン）樹脂、ＰＳ（Poly- Styrene；ポリスチレン）樹脂等があり、これを、射出成形等により成形することにより、押さえ治具２を得ることができる。
【００３１】
押さえ治具２は、板厚（ａ）（図２参照）が１．５乃至６ｍｍの薄肉状をなしている。この抑え治具２の板厚は、樹脂成形体による必要な重量を確保するために、１．５ｍｍ以上とし、外筒容器内への載置が困難とならないように６ｍｍ以下とすることが好ましい。この押さえ治具２の外径（ｄ）は、ワイヤの跳ね上がり防止及び円滑な降下を考慮して、外筒１の内径よりも８乃至２０ｍｍ小さくすることが好ましい。押さえ治具２（平板部３）の内径（ｂ）は、ワイヤが曲がらずにワイヤを円滑に引き出すことができるようにすると共に、ワイヤの跳ね上がりを確実に防止するために、内筒６の外径よりも２０乃至４０ｍｍ大きいことが好ましい。また、平板部３の外径（ｃ）は、外筒１のかしめ部１ａの内径（外筒１の最小内径）よりも５乃至３０ｍｍ小さいものであり、この平板部３の外縁から立ち上がる第１部４ａの下方部分が外筒１のかしめ部１ａの内側に嵌入する大きさを有していることが好ましい。堰部４の高さ（ｅ）は、１５乃至３０ｍｍであることが好ましい。
【００３２】
本実施形態においては、複数本の紐７が外筒１の高さ方向（長手方向）に延びるように配置され、紐固定具７ａにより外筒１の上部及び下部で外筒１の内面に固定されている。また、堰部４の第２部４ｂの上には、外筒１の内径より若干小径のリング状の紐拘束具９が載置されている。そして、紐７は押さえ治具２と外筒１の内面との間を通り、紐拘束具９の内側を通るように、外筒１の内面に沿って配置されている。この紐７は本実施形態では３本であり、外筒の周方向に等配の位置に配置されている。なお、図１及び図３は便宜上２本の紐７が表示されている。この紐の本数は３本に限らず、２本又は４本以上設けても良い。
【００３３】
なお、上記材質及び形状寸法は一例であり、本発明はこれに限定されるものではない。また、押さえ治具２の下面には、ラミネートフィルム等の樹脂製フィルムを貼り付けても良い。これにより、溶接ワイヤを更に一層円滑に巻解くことができると共に、段ボール等に吸着している水分を溶接ワイヤに伝達されにくくすることができるため、発錆を防止することができる。また、溶接ワイヤコイル１０と押さえ治具２との接触面におけるワイヤの滑り性が良好になるため、ワイヤのもつれを一層防止することができる。
【００３４】
次に、上述の如く構成された溶接ワイヤ収納容器の動作について説明する。外筒１と内筒６との間の底板５上に、ソリッドワイヤ又はフラックス入りワイヤ等の溶接ワイヤ１０ａを落とし込んで、溶接ワイヤコイル１０を収納する。この溶接ワイヤコイル１０は例えば質量が２００乃至５００ｋｇの大きさを有する。そして、図１に示すように、押さえ治具２をコイル１０の上に載置し、溶接ワイヤ１０ａを押さえ治具２と内筒６との間の隙間から上方に引き出す。なお、ワイヤ引き出し終端となる終端ワイヤ１０ｂは、収納容器に落とし込まれるときには、始端部となる部分であるが、この落とし込み始端の引き出し終端ワイヤ１０ｂは、溶接ワイヤコイル１０の外周を上方に持ち上げられ、押さえ治具２の下面と溶接ワイヤコイル１０の上面との間を通して、押さえ治具２の内周から外筒１の内面に向けて延び、この外筒内面を例えば１周はわせ、外筒内面の上部で、引き出し終端ワイヤ１０ｂの固定治具１１により外筒内面に固定されている。このように、引き出し終端ワイヤ１０ｂを外筒内面上部に固定するためには、収納容器へのワイヤ落とし込み開始時に、ワイヤの落とし込み始端部を外筒内面に沿って上方に引き上げた後、ワイヤを収納容器内に落とし込んでコイルを形成し、ワイヤ落とし込み始端部をこのコイルの上を横断してコイル内周側に引き出し、その上に押さえ治具２を載置するようにすればよい。紐７も外筒１の内面に沿って上方に引き出しておき、押さえ治具２をコイル１０の上に載置した後、この押さえ治具２の上に紐拘束具９を載置し、この紐拘束具９の内側を通して、外筒１の内面上部の紐固定具７ａに固定するようにすればよい。
【００３５】
このようにして、溶接ワイヤコイル１０を収納した後、運搬され、また、保管される。そして、溶接現場において、溶接ワイヤ１０ａの引き出し始端部（落とし込み終端部）を引き出し、引き出された溶接ワイヤ１０ａをトーチ（図示せず）に送給する。これにより、容器内の溶接ワイヤが使用され、コイル１０の高さが徐々に低下していき、それに伴い、コイル１０上の押さえ治具２も下降していく。このとき、押さえ治具２がコイル１０上に載置されているので、剛性を持つ溶接ワイヤ１０ａが引き出されるときに暴れることが防止される。また、紐拘束具９に拘束された紐７が溶接ワイヤコイル１０の外周を押さえ治具２の外周縁に対して拘束しているので、溶接ワイヤ１０ａが押さえ治具２と外筒１の内面との間の隙間から上方に飛び出すことが防止される。これにより、溶接ワイヤ１０ａの跳ね上がりも防止される。
【００３６】
そして、押さえ治具２は平板部３から外方に立ち上がる堰部２の第１部４ａの全部又は一部が、かしめ部１ａ内に嵌入するので、溶接ワイヤ１０ａの残量が少なくなった場合にも、この平板部３及び第１部４ａがかしめ部１ａ内に嵌入して、コイル１０の上面を押さえるので、容器内のコイル１０を引き出しの最後迄、暴れないように押さえることができる。つまり、溶接ワイヤの残量が少なくなり、溶接ワイヤコイル１０の高さが外筒１のかしめ部１ａより低くなっても、押さえ治具２の下方部分４ａがかしめ部１ａに囲まれた部分に入り込むので、かしめ部１ａ内の溶接ワイヤコイル１０の上面を依然として押さえ治具２が押さえることができる。このため、容器内のワイヤの残量が少なくなっても、押さえ治具２は確実に溶接ワイヤコイル１０を押さえることができ、最下層の溶接ワイヤまで絡み及びもつれを生じることなく、円滑に巻き解くことができる。
【００３７】
なお、溶接ワイヤの引き出しが終了に近づいたときに、孔８を介して、コイル残量を確認し、所定の残量まで、コイル高さが低下したときに、次順のコイル収納容器を近くに配置し、次順の溶接ワイヤを引き出し、引き出し中のコイル収納容器の引き出し終端ワイヤ１０ｂを固定治具１１から外し、この引き出し終端ワイヤ１０ｂを次順の溶接ワイヤの引き出し始端部に溶接により接続する。これにより、溶接工程を終了することなく、つまり、継ぎ目なく、溶接を行うことができる。
【００３８】
また、押さえ治具２は、堰部４及び平板部３がオレフィン系樹脂により一体成形されたものであるので、従来のように、発泡ウレタンスポンジからなる羽根体を設けた場合に比して、材質又は剛性等の特性の経時変化が生じにくく、更に一層外筒内面への押圧力の劣化を防止することができる。
【００３９】
溶接ワイヤの使用状況に応じて、途中で溶接が中断し、溶接対象物を補修しなければならなくなる場合がある。このため、区切りの良い溶接が行えるように、収納容器の溶接ワイヤ残量を確認するために、押さえ治具には、溶接ワイヤ残量を視認するための窓が設けられている。従来の押さえ治具の場合は、この視認用の窓が極めて大きなものであったので、溶接ワイヤ収納容器が外気温度の変化を受けて結露が生じやすい環境下におかれた場合、押さえ治具の視認用窓を介して露出している溶接ワイヤが錆びることがある。しかし、本発明においては、この視認用窓が、幅が２乃至２０ｍｍの孔８であるので、下方の溶接ワイヤは、結露の影響を受けにくく、従って、溶接ワイヤの変色及び錆びの発生を抑制することができる。
【００４０】
また、従来の押さえ板の羽根体１１２ａ（図６）は発泡ウレタンスポンジ製であるので、この羽根体１１２ａと直接接触する溶接ワイヤが変色したり、錆びたりしやすい。また、羽根体１１２ａを構成する発泡ウレタンスポンジは、塩素を含有するため、押さえ板を廃棄する際に、焼却処分しようとすると、ダイオキシンの発生源となるため、廃棄が困難である。
【００４１】
しかし、本発明においては、堰部４が平板部３と同一のオレフィン系樹脂材料により一体成形されているので、溶接ワイヤと接触しても、変色及び錆びが発生することがない。また、押さえ治具２はオレフィン系樹脂により成形されているので、スクラップ処理が容易であり、押さえ治具２を焼却処分してもダイオキシンが発生することがなく、容易に廃棄処分することができる。
【００４２】
また、上述の方法で巻回されて収納された容器入り溶接ワイヤを運搬及び保管する際は、外筒１の上端部に蓋（図示せず）が被せられる。その際、押さえ治具２と蓋との間には、紙製等のスペーサ（図示せず）を配置することが好ましい。これにより、運搬中に、振動により溶接ワイヤコイルがほどけてしまい、絡み及びもつれが生じることを防止することができる。
【００４３】
更に、本実施形態の溶接ワイヤ収納容器においては、押さえ治具２により溶接ワイヤコイル１０の上面の大部分を覆っているため、溶接ワイヤコイル１０の内部に湿気が入りにくく、溶接ワイヤの防錆効果が優れている。
【図面の簡単な説明】
【００４４】
【図１】本発明の実施形態の溶接ワイヤ収納容器を示す断面図である。
【図２】本実施形態の押さえ治具２を示す断面図である。
【図３】同じく本実施形態の溶接ワイヤ収納容器を示す斜視図である。
【図４】同じく、本実施形態の押さえ治具２を示す斜視図である。
【図５】（ａ）は従来の容器入り溶接ワイヤを模式的に示す斜視図であり、（ｂ）はその断面図である。
【図６】従来の溶接ワイヤ収納容器の押さえ板を示す斜視図である。
【図７】底が嵩上げされた従来の溶接ワイヤ収納容器の一部を示す断面図である。
【図８】特許文献５に記載の溶接ワイヤ収納容器の押さえ板を示す平面図である。
【符号の説明】
【００４５】
１、１０１；外筒
２；押さえ治具
１０２、１１２、１２０；押さえ板
３；平板部
４；堰部
４ａ；第１部
４ｂ；第２部
５；底板
６、１０６；内筒
７：紐
８；孔
９：紐拘束具
１０、１００；溶接ワイヤコイル
１０ａ、１００ａ；溶接ワイヤ
１０ｂ：引き出し終端ワイヤ
１０３；拘束具
１０８；紐
【図１】
2007029971.tif 000003
【図２】
2007029971.tif 000004
【図３】
2007029971.tif 000005
【図４】
2007029971.tif 000006
【図５】
2007029971.tif 000007
【図６】
2007029971.tif 000008
【図７】
2007029971.tif 000009
【図８】
2007029971.tif 000010